(57)【要約】  制御部（１０）は、入力部（１１）の各指定ボタンのそれぞれに対応し、それぞれが異なる複数の記号を含む複数のブロックからなる第１のキーボードの画像を表示し、各指定ボタンのいずれかが押下されると、該押下された指定ボタンに対応するブロックを上記第１のキーボードの各ブロックのうちから特定する。その後、制御部（１０）は、各ブロックに含まれる各記号と同じ記号が第１のキーボードと同じ配置形態で配置され、それぞれのブロックに含まれる各記号と入力部（１１）の各指定ボタンとが一対一で対応する第２のキーボードの画像を表示し、各指定ボタンのいずれかが押下されると、特定したブロックおよび該押下された指定ボタンに対応する記号を特定し、該特定した記号を入力文字として認識する。
2011125200.tif 000002
【特許請求の範囲】
【請求項１】
画像を投射する投射部を有するプロジェクタであって、
パスワードが格納される記憶部と、
決定ボタンおよび複数の指定ボタンを備える入力部と、
プロジェクタの起動時に、パスワードを入力するための第１の画像を前記投射部にて投射させ、前記入力部からの、前記複数の指定ボタンのいずれかが押下されたことを示す指示を受け付けると、パスワードを入力するための第２の画像を前記投射部にて投射させ、その後、前記入力部からの前記指示を受け付ける度に、前記投射部にて投射される画像を前記第１および第２の画像の間で切り替える制御部と、を有し、
前記第１の画像は、前記複数の指定ボタンのそれぞれに対応する複数のブロックからなり、該ブロック毎に、異なる複数の記号が配置された第１のキーボードを含み、
前記第２の画像は、前記複数のブロックに含まれる各記号と同じ記号が前記第１のキーボードと同じ配置形態で配置され、それぞれのブロックに含まれる各記号と前記複数の指定ボタンとが一対一で対応する第２のキーボードを含み、
前記制御部は、
前記第１の画像が投射させた状態で前記複数の指定ボタンのいずれかが押下されると、該押下された指定ボタンに対応するブロックを特定し、その後、前記第２の画像を投射させた状態で前記複数の指定ボタンのいずれかが押下されると、前記特定したブロックおよび該押下された指定ボタンに対応する記号を特定し、
前記決定ボタンが押下されると、前記入力部からの前記指示を受け付けた順番で、前記特定した記号を文字列として認識し、該文字列が前記記憶部に格納されたパスワードと一致する場合にのみ操作を受け付ける、プロジェクタ。
【請求項２】
前記第１のキーボードは、前記複数の指定ボタンのそれぞれに対応する複数の第１のボタン記号を有し、これら第１のボタン記号は、前記複数のブロックと一対一で対応するように配置されている、請求の範囲第１項に記載のプロジェクタ。
【請求項３】
前記複数の第１のボタン記号は、前記複数の指定ボタンと同じ配置形態で配置されている、請求の範囲第２項に記載のプロジェクタ。
【請求項４】
前記複数のブロックのそれぞれに配置された記号の数が、前記複数の指定ボタンの数と同じである、請求の範囲第１項乃至第３項のいずれかに記載のプロジェクタ。
【請求項５】
前記第２のキーボードは、前記複数のブロックのそれぞれと対応する領域毎に、前記複数の指定ボタンのそれぞれに対応する複数の第２のボタン記号を有し、これら第２のボタン記号は、前記複数のブロックのそれぞれに配置された各記号と一対一で対応するように配置されている、請求の範囲第１項乃至第４項のいずれかに記載のプロジェクタ。
【請求項６】
前記複数のブロックのそれぞれと対応する領域毎に設けられた前記複数の第２のボタン記号は、前記複数の指定ボタンと同じ配置形態で配置されている、請求の範囲第５項に記載のプロジェクタ。
【請求項７】
前記第１および第２の画像のそれぞれは、入力文字を表示するための入力文字表示欄を有し、
前記制御部は、前記特定した記号を特定の文字で前記入力文字表示欄に表示させる、請求の範囲第１項乃至第６項のいずれかに記載のプロジェクタ。
【請求項８】
複数の指定ボタンを用いてパスワードを入力する方法であって、
前記複数の指定ボタンのそれぞれに対応する複数のブロックからなり、該ブロック毎に、異なる複数の記号が配置された第１のキーボードを表示し、
前記複数の指定ボタンのいずれかが押下されると、該押下された指定ボタンに対応するブロックを特定し、
前記複数のブロックに含まれる各記号と同じ記号が前記第１のキーボードと同じ配置形態で配置され、それぞれのブロックに含まれる各記号と前記複数の指定ボタンとが一対一で対応する第２のキーボードの画像を表示し、
前記複数の指定ボタンのいずれかが押下されると、前記特定したブロックおよび該押下された指定ボタンに対応する記号を特定し、該特定した記号を入力文字として認識する、パスワード入力方法。
【発明の詳細な説明】
【技術分野】
【０００１】
本発明は、ソフトウェアキーボードに代表される仮想ボードを利用してパスワードの入力が行われるプロジェクタに関する。
【背景技術】
【０００２】
プロジェクタには、パスワードによるユーザ認証を行う認証機能を備えるものがある。この認証機能を備えるプロジェクタでは、起動時に、パスワードの入力を要求し、その要求に応じてユーザが入力した文字列が、プロジェクタに予め登録されているパスワードと一致する場合に、ユーザによる入力操作を受け付ける。【０００３】
パスワードの入力にソフトウェアキーボードが用いられる。この場合は、起動時に、ソフトウェアキーボードの画像がスクリーン上に投射される。ユーザは、リモートコントローラを用いて、投射されたソフトウェアキーボード上で、パスワードである文字列を順番に指定し、その指定した文字列を確定する。【０００４】
ソフトウェアキーボード上での文字の選択を容易にするために、通常は、リモートコントローラでの入力操作に応じて、枠（文字を囲むようなもの）やカーソル等のポインタが、ソフトウェアキーボード上を移動するようになっている。ユーザは、ポインタの表示位置に基づいて、現在、選択中の文字を認識することができる。【０００５】
しかし、上記のようなポインタ等の表示を用いるパスワード入力手法では、第三者が、文字列の入力過程を観ることでパスワードを知ることができる。【０００６】
特許文献１には、ポインタの表示を行うことなく、パスワードの文字列をソフトウェアキーボード上で選択することができるプロジェクタが開示されている。このプロジェクタは、入力部、記憶部、投射表示部および制御部を有する。【０００７】
パスワードが記憶部に格納されている。入力部は、リモートコントローラであって、複数の指定ボタンと、決定ボタンとを有する。【０００８】
投射表示部は、ソフトウェアキーボードを含むパスワード入力画像をスクリーンに投射する。ソフトウェアキーボードは、異なる複数の記号が行列状に配置された構成とされ、入力部の各指定ボタンに対応するボタン記号が、それら記号の行および列に対応付けて配置されている。ユーザは、入力部の各指定ボタンを用いて、所望の記号が位置する行および列を指定することができる。【０００９】
制御部は、プロジェクタの起動時に、パスワード入力画像を投射表示部にて投射させる。【００１０】
ユーザは、スクリーン上に表示されたパスワード入力画像上で、入力すべき文字に対応する記号が位置する行および列を確認し、入力部の指定ボタンを用いて、その確認した行および列をそれぞれ指定する。制御部は、指定ボタンによって指定した行および列に基づいて、ソフトウェアキーボード上の記号を特定し、その特定した記号を入力文字として認識する。このようにして、ソフトウェアキーボードを用いた文字入力が行われる。【００１１】
パスワードである文字列の入力が完了すると、ユーザは、入力部の決定ボタンを押下する。制御部は、決定ボタンが押下されると、入力された文字列が記憶部に格納されているパスワードと一致するか否かを判定する。入力された文字列がパスワードと一致する場合にのみ、制御部は、入力操作を受け付ける。【００１２】
特許文献１に記載のプロジェクタによれば、ソフトウェアキーボード上でポインタの表示を行うことなく、指定ボタンを用いて行および列を指定することで文字を入力することができるので、第三者が入力文字を知ることは困難である。
【先行技術文献】
【特許文献】
【００１３】
【特許文献１】特開２００８−３０５０７５号公報
【発明の開示】
【００１４】
しかし、特許文献１に記載のプロジェクタにおいては、ポインタの表示なしで、ユーザが、行列状に配置された複数の記号のうちの所望の記号が位置する行および列を指定ボタンで指定するようになっているため、行および列の数が多い場合は、誤って別の記号を指定する場合がある。
【００１５】
また、入力された文字列はアスタリスクなどの特定の記号で画面に表示されるため、ユーザは、入力した文字列のどの文字が誤入力であるかを知ることができない。したがって、ユーザは、同じ誤入力を繰り返す場合がある。
【００１６】
本発明の目的は、上記問題を解決し、ソフトウェアキーボード上で入力すべき文字を確実に指定することができる、投射型表示装置およびパスワード入力方法を提供することにある。
【００１７】
上記目的を達成するため、本発明のプロジェクタは、
画像を投射する投射部と、
パスワードが格納される記憶部と、
決定ボタンおよび複数の指定ボタンを備える入力部と、
プロジェクタの起動時に、パスワードを入力するための第１の画像を前記投射部にて投射させ、前記入力部からの、前記複数の指定ボタンのいずれかが押下されたことを示す指示を受け付けると、パスワードを入力するための第２の画像を前記投射部にて投射させ、その後、前記入力部からの前記指示を受け付ける度に、前記投射部にて投射される画像を前記第１および第２の画像の間で切り替える制御部と、を有し、
前記第１の画像は、前記複数の指定ボタンのそれぞれに対応する複数のブロックからなり、該ブロック毎に、異なる複数の記号が配置された第１のキーボードを含み、
前記第２の画像は、前記複数のブロックに含まれる各記号と同じ記号が前記第１のキーボードと同じ配置形態で配置され、それぞれのブロックに含まれる各記号と前記複数の指定ボタンとが一対一で対応する第２のキーボードを含み、
前記制御部は、
前記第１の画像が投射させた状態で前記複数の指定ボタンのいずれかが押下されると、該押下された指定ボタンに対応するブロックを特定し、その後、前記第２の画像を投射させた状態で前記複数の指定ボタンのいずれかが押下されると、前記特定したブロックおよび該押下された指定ボタンに対応する記号を特定し、
前記決定ボタンが押下されると、前記入力部からの前記指示を受け付けた順番で、前記特定した記号を文字列として認識し、該文字列が前記記憶部に格納されたパスワードと一致する場合にのみ操作を受け付けることを特徴とする。
【００１８】
本発明のパスワード入力方法は、複数の指定ボタンを用いてパスワードを入力する方法であって、
前記複数の指定ボタンのそれぞれに対応する複数のブロックからなり、該ブロック毎に、異なる複数の記号が配置された第１のキーボードを表示し、
前記複数の指定ボタンのいずれかが押下されると、該押下された指定ボタンに対応するブロックを特定し、
前記複数のブロックに含まれる各記号と同じ記号が前記第１のキーボードと同じ配置形態で配置され、それぞれのブロックに含まれる各記号と前記複数の指定ボタンとが一対一で対応する第２のキーボードの画像を表示し、
前記複数の指定ボタンのいずれかが押下されると、前記特定したブロックおよび該押下された指定ボタンに対応する記号を特定し、該特定した記号を入力文字として認識する、ことを特徴とする。
【図面の簡単な説明】
【００１９】
【図１】本発明の一実施形態であるプロジェクタの構成を示すブロック図である。
【図２】図１に示すプロジェクタのリモートコントローラの一例を示す模式図である。
【図３】図２に示すリモートコントローラのボタン機能対応表を示す図である。
【図４】第１のパスワード入力画面を示す模式図である。
【図５】第２のパスワード入力画面を示す模式図である。
【図６】文字入力欄の例を示す模式図である。
【図７】ユーザ認証処理の一手順を示すフローチャートである。
【図８】パスワードの入力手順の具体例を説明するための図である。
【符号の説明】
【００２０】
１０  制御部
１１  入力部
１２  記憶部
１３  投射部
【発明を実施するための最良の形態】
【００２１】
次に、本発明の実施形態について図面を参照して説明する。【００２２】
図１は、本発明の一実施形態であるプロジェクタの構成を示すブロック図である。【００２３】
図１を参照すると、プロジェクタは、制御部１０、入力部１１、記憶部１２および投射部１３を有する。【００２４】
入力部１１は、プロジェクタ本体の操作部またはリモートコントローラであって、複数の指定ボタンや決定ボタンなどを有する。図２に、リモートコントローラの一例を示す。【００２５】
図２に示すように、リモートコントローラは、４つの指定ボタン１１１〜１１４、決定ボタン１１５および戻るボタン１１６を有する。【００２６】
指定ボタン１１１〜１１４は、上下左右の４方向を指定するためのボタンである。指定ボタン１１１により上方向が指定され、指定ボタン１１２により下方向が指定され、指定ボタン１１３により右方向が指定され、指定ボタン１１４により左方向が指定される。【００２７】
決定ボタン１１５は、入力された文字列を確定したり、ユーザにより入力される種々の指示を決定したりするためのボタンである。戻るボタン１１６は、現在の画面から１つ前の画面（または、予め決められた画面）に戻るためのボタンである。【００２８】
なお、入力部２は、図２に示したリモートコントローラに限定されない。ボタンの種類や数は、適宜に変更することができる。【００２９】
記憶部１２には、プロジェクタの各機能を動作させるためのデータやプログラムが格納される。例えば、ユーザ認証機能に関わる認証用情報が記憶部１２に格納される。認証用情報は、パスワード、パスワード入力画面情報、ボタン機能対応表、指定ボタン／ブロック対応テーブル、指定ボタン／記号対応テーブルなどを含む。パスワードは、ユーザにより予め登録される。【００３０】
図３に、図２に示したリモートコントローラのボタン機能対応表の一例を示す。このボタン機能対応表は、ボタンを識別するためのボタン記号と、そのボタンの機能（または名称）とが対応付けられて格納されたものである。指定ボタン１１１〜１４、決定ボタン１１５および戻るボタン１１６のそれぞれについて、ボタン記号と機能がボタン機能対応表に格納される。ボタン記号は、対応するボタンの形状が反映された表示形態を示す。具体的には、図２に示したように、指定ボタン１１１は、黒色の三角形状のボタンであるので、そのボタン記号は、黒色の三角形状の表示形態とされる。【００３１】
パスワード入力画面情報は、第１のパスワード入力画面の情報（画像）と、第２のパスワード入力画面の情報（画像）を含む。【００３２】
図４に、第１のパスワード入力画面を模式的に示す。この第１のパスワード入力画面は、ソフトウェアキーボード２０および入力文字欄３０を有する。ソフトウェアキーボード２０は、上下左右に配置された４つのブロック２１〜２４からなる。【００３３】
ブロック２１は、指定ボタン１１に対応するボタン記号（上ボタン）が中央に配置され、その周りに、「０」、「１」、「２」、「３」の４つの記号が配置されたものである。【００３４】
ブロック２２は、指定ボタン１２に対応するボタン記号（下ボタン）が中央に配置され、その周りに、「Ｃ」、「Ｄ」、「Ｅ」、「Ｆ」の４つの記号が配置されたものである。【００３５】
ブロック２３は、指定ボタン１３に対応するボタン記号（右ボタン）が中央に配置され、その周りに、「８」、「９」、「Ａ」、「Ｂ」の４つの記号が配置されたものである。【００３６】
ブロック２４は、指定ボタン１４に対応するボタン記号（左ボタン）が中央に配置され、その周りに、「４」、「５」、「６」、「７」の４つの記号が配置されたものである。【００３７】
入力文字欄３０には、文字の入力位置を示すカーソルが表示されるとともに、入力された文字が例えばアスタリスクのような特定の記号で表示される。【００３８】
図４に、第２のパスワード入力画面を模式的に示す。この第２のパスワード入力画面は、図３に示した第１のパスワード入力画面の４つのブロック２１〜２４をそれぞれ、記号毎に上下左右の４つのブロックに細分化したものである。図４において、便宜上、ブロック２１〜２４の境界を示す点線が記載されているが、この点線は、実際の画面上では表示されない。【００３９】
ブロック２１は、指定ボタン１１に対応するボタン記号（上ボタン）と記号「０」とを含む上ブロックと、指定ボタン１２に対応するボタン記号（下ボタン）と記号「１」とを含む下ブロックと、指定ボタン１３に対応するボタン記号（右ボタン）と記号「２」とを含む右ブロックと、指定ボタン１４に対応するボタン記号（左ボタン）と記号「３」とを含む左ブロックとかなる。これらブロックの上下左右のボタンの配置形態は、入力部１１の指定ボタン１１１〜１１４の配置形態と同じである。【００４０】
ブロック２２は、指定ボタン１１に対応するボタン記号（上ボタン）と記号「Ｃ」とを含む上ブロックと、指定ボタン１２に対応するボタン記号（下ボタン）と記号「Ｆ」とを含む下ブロックと、指定ボタン１３に対応するボタン記号（右ボタン）と記号「Ｅ」とを含む右ブロックと、指定ボタン１４に対応するボタン記号（左ボタン）と記号「Ｄ」とを含む左ブロックとかなる。これらブロックの上下左右のボタンの配置形態は、入力部１１の指定ボタン１１１〜１１４の配置形態と同じである。【００４１】
ブロック２３は、指定ボタン１１に対応するボタン記号（上ボタン）と記号「８」とを含む上ブロックと、指定ボタン１２に対応するボタン記号（下ボタン）と記号「Ｂ」とを含む下ブロックと、指定ボタン１３に対応するボタン記号（右ボタン）と記号「Ａ」とを含む右ブロックと、指定ボタン１４に対応するボタン記号（左ボタン）と記号「９」とを含む左ブロックとかなる。これらブロックの上下左右のボタンの配置形態は、入力部１１の指定ボタン１１１〜１１４の配置形態と同じである。【００４２】
ブロック２４は、指定ボタン１１に対応するボタン記号（上ボタン）と記号「４」とを含む上ブロックと、指定ボタン１２に対応するボタン記号（下ボタン）と記号「７」とを含む下ブロックと、指定ボタン１３に対応するボタン記号（右ボタン）と記号「６」とを含む右ブロックと、指定ボタン１４に対応するボタン記号（左ボタン）と記号「５」とを含む左ブロックとかなる。これらブロックの上下左右のボタンの配置形態は、入力部１１の指定ボタン１１１〜１１４の配置形態と同じである。【００４３】
指定ボタン／ブロック対応テーブルは、指定ボタン１１１〜１１４のそれぞれの識別子とブロック２１〜２４のそれぞれの識別子が一対一で対応するように格納されたテーブルである。この指定ボタン／ブロック対応テーブルを参照することで、制御部１０は、指定ボタン１１１〜１１４のうちの押下された指定ボタンに対応するブロックを特定することができる。【００４４】
指定ボタン／記号対応テーブルは、ブロック２１〜２４のブロック毎に、そのブロックに配置された各記号の識別子と指定ボタン１１１〜１１４のそれぞれの識別子が一対一で対応するように格納されたテーブルである。この指定ボタン／記号対応テーブルを参照することで、制御部１０は、指定ボタン１１１〜１１４のうちの押下された指定ボタンに対応する記号を、特定したブロックに配置された各記号の中から特定することができる。【００４５】
再び、図１を参照する。投射部１３は、画像を不図示のスクリーン（または壁等の被投射面）上に投射するものであって、例えば、光源と、光源からの光が照射される液晶パネルと、液晶パネルで形成された画像光をスクリーン（または壁等の被投射面）上に投射する投射光学系とから構成される。この投射部１３には、既存のプロジェクタの構成を適用することができる。【００４６】
制御部１０は、記憶部１２に格納されているプログラムに従って動作し、プロジェクタの種々の機能を提供する。制御部１０は、プロジェクタの起動時にユーザ認証処理を実行する。このユーザ認証の機能以外は、既存のプログラムと同じ機能であるので、ここでは、ユーザ認証の機能について詳細に説明し、その他の機能の説明は省略する。なお、ユーザ認証処理は、起動時だけでなく、予め定められたタイミング（例えば一時的に動作を休止する休止モードから復帰したとき）で実行されてもよい。【００４７】
ユーザ認証を行う際、制御部１０は、第１のパスワード入力画面を投射部１３にて投射させ、入力部１１の指定ボタン１１１〜１１４のいずれかのボタンが押下されると、その押下された指定ボタンに対応するブロックを、ブロック２１〜２４のうちから特定するとともに、第１のパスワード入力画面に代えて、第２のパスワード入力画面を投射部１３にて投射させる。【００４８】
第２のパスワード入力画面の投射後、入力部１１の指定ボタン１１１〜１１４のいずれかのボタンが押下されると、制御部１０は、その押下された指定ボタンと対応する記号を、上記特定したブロックの各記号のうちから特定し、その特定した記号を入力文字として認識する。そして、制御部１０は、その認識した文字を、特定の記号（アスタリスク）として入力文字欄３０に表示するとともに、第２のパスワード入力画面に代えて、第１のパスワード入力画面を投射部１３にて投射させる。【００４９】
このようにして、制御部１０は、入力部１１の指定ボタン１１１〜１１４を用いた入力操作に応じて、投射部１３にて投射される画面を切り替えながら、入力文字を認識する。入力文字を認識するたびに、特定の記号が文字入力欄３０に表示される。例えば、最初の入力文字を認識した場合は、図６に示すように、文字入力欄３０の左端にアスタリスクが表示され、カーソルは次の文字入力位置（その表示されたアスタリスクの右側）へ移動する。【００５０】
また、制御部１０は、入力部１１の決定ボタン１１５が押下されると、指定ボタン１１１〜１１４を用いた入力操作を通じて認識した入力文字を、その認識した順番で文字列として認識する。そして、制御部１０は、その文字列が記憶部１２に格納されたパスワードと一致するか否かを判定し、一致する場合にのみ、入力操作（具体的には、ユーザ認証以外の機能を実行するための操作）を受け付ける。【００５１】
また、制御部１０は、入力部１１の戻るボタン１１６が押下されると、指定ボタン１１１〜１１４を用いた入力操作を通じて認識した入力状態を、現在の状態から１つ前の入力状態に戻す。【００５２】
次に、本実施形態のプロジェクタのユーザ認証の動作について具体的に説明する。【００５３】
図７に、そのユーザ認証処理の一手順を示す。【００５４】
図７を参照すると、まず、制御部１０は、プロジェクタを起動するための起動ボタン（不図示）が押下された否かを判定する（ステップＳ１０）。【００５５】
起動ボタンが押下されると、制御部１０は、記憶部１２から第１のパスワード入力画面の情報を読み出して、その第１のパスワード入力画面の画像を投射部１３にて投射させる（ステップＳ１１）。【００５６】
第１のパスワード入力画面の表示後、制御部１０は、入力部１１の指定ボタン１１１〜１１４のいずれかのボタンが押下されたか否かを判定する（ステップＳ１２）。【００５７】
指定ボタン１１１〜１１４のいずれかのボタンが押下されると、制御部１０は、押下された指定ボタンに対応するブロックを特定するとともに、第１のパスワード入力画面に代えて、第２のパスワード入力画面の画像を投射部１３にて投射させる（ステップＳ１３）。【００５８】
第２のパスワード入力画面の表示後、制御部１０は、入力部１１の指定ボタン１１１〜１１４のいずれかのボタンが押下されたか否かを判定する（ステップＳ１４）。【００５９】
指定ボタン１１１〜１１４のいずれかのボタンが押下されると、制御部１０は、その押下された指定ボタンと対応する記号をステップＳ１３で特定したブロックに配置された記号のうちから特定し、その特定した記号を入力文字として認識する。そして、制御部１０は、入力文字欄３０に、特定の記号（アスタリスク）を表示する（ステップＳ１５）。【００６０】
次に、制御部１０は、第２のパスワード入力画面に代えて、第１のパスワード入力画面を投射部１３にて投射させる（ステップＳ１６）。【００６１】
第１のパスワード入力画面の表示後、制御部１０は、入力部１１の決定ボタン１１５または指定ボタン１１１〜１１４のいずれかのボタンが押下されたか否かを判定する（ステップＳ１７）。指定ボタン１１１〜１１４のいずれかのボタンが押下された場合は、ステップＳ１３の処理が再び実行される。【００６２】
ステップＳ１７で、決定ボタン１１５が押下された場合は、制御部１０は、指定ボタン１１１〜１１４を用いた入力操作を通じて認識した文字をその認識した順番で入力文字列として認識し、その入力文字列を記憶部１２に格納されたパスワードと比較する（ステップＳ１８）。そして、制御部１０は、入力文字列がパスワードと一致した場合にのみ、入力操作を受け付ける（ステップＳ１９〜Ｓ２０）。【００６３】
ステップＳ１９で、認識した入力文字列が記憶部１２に格納されたパスワードと一致しない場合は、制御部１０は、入力文字列がパスワードと一致しない旨を示すメッセージの画像を投射部１３にて投射させる（ステップＳ２１）。【００６４】
図８は、パスワードの入力手順の具体例を説明するための図である。この例では、パスワードとして「Ｆ７０９ＣＡ」の文字列を入力する。【００６５】
最初の文字「Ｆ」を入力する場合は、まず、図４に示した第１のパスワード入力画面が表示された状態で、ユーザは、指定ボタン１１２を押下する。これにより、ブロック２２が選択される。次に、図５に示した第２のパスワード入力画面が表示された状態で、ユーザは、指定ボタン１１２を押下する。これにより、ブロック２２内の記号「Ｆ」が選択される。【００６６】
２番目の文字「７」を入力する場合は、図４に示した第１のパスワード入力画面が表示された状態で、ユーザは、指定ボタン１１４を押下する。これにより、ブロック２４が選択される。次に、図５に示した第２のパスワード入力画面が表示された状態で、ユーザは、指定ボタン１１２を押下する。これにより、ブロック２４内の記号「７」が選択される。【００６７】
３番目から６番目の文字についても、上記と同様な手順でブロックおよび記号を選択する。【００６８】
その後、ユーザが決定ボタン１１５を押下すると、「Ｆ７０９ＣＡ」が入力文字列として認識される。そして、この「Ｆ７０９ＣＡ」の文字列と記憶部１２に格納されているパスワードとが比較される。【００６９】
以上のユーザ認証処理によれば、起動時に、第１のパスワード入力画面が表示される。ユーザは、その第１のパスワード入力画面上の、上下左右に配置されたブロック２１〜２４のうち、入力すべき文字に対応する記号を含むブロックを選択する。【００７０】
上記のブロックの選択において、入力部１１の指定ボタン１１１〜１１４が用いられる。ブロック２１〜２４の各ボタン記号の配置形態は、入力部１１の指定ボタン１１１〜１１４の配置形態と同じである。したがって、ユーザは、入力部１１の指定ボタン１１１〜１１４を用いて直感的にブロックを選択することができる。【００７１】
ブロックが選択されると、第２のパスワード入力画面が表示される。第２のパスワード入力画面では、第１のパスワード入力画面で表示されたブロック２１〜２４の各記号が同じ配置形態で表示されるが、ブロック２１〜２４のそれぞれは、記号とボタン記号が一対一で対応する上下左右のブロックに細分化されている。ブロック２１〜２４のそれぞれにおける上下左右のブロックのボタン記号の配置形態は、入力部１１の指定ボタン１１１〜１１４の配置形態と同じである。したがって、ユーザは、入力部１１の指定ボタン１１１〜１１４を用いて直感的に記号を選択することができる。このように、ユーザは、入力すべき文字に対応する記号を入力部１１の指定ボタン１１１〜１１４を用いて直感的に入力することができる。【００７２】
以上のように、本実施形態のプロジェクタによれば、ユーザは、入力部１１の指定ボタン１１１〜１１４を用いて直感的にブロックや記号の選択を行うことができるので、前述した特許文献１に記載された、ソフトウェアキーボード上で行および列を指定することで文字を指定するプロジェクタに比較して、より簡単かつ正確に文字の入力を行うことができる。【００７３】
また、文字の入力過程が表示されることもないので、入力された文字列が第三者に知られることを抑制することができる。【００７４】
（他の実施形態）
本発明の他の実施形態であるプロジェクタも、図１に示した制御部１０、入力部１１、記憶部１２および投射部１３を有するが、ユーザ認証の動作の一部が上述した実施形態と異なる。【００７５】
投射部１３は、画像を投射する。パスワードが記憶部１２に格納される。入力部１１は、決定ボタンおよび複数の指定ボタンを備える。【００７６】
制御部１０は、プロジェクタの起動時に、パスワードを入力するための第１の画像を投射部１３にて投射させ、入力部１１からの、指定ボタンのいずれかが押下されたことを示す指示を受け付けると、パスワードを入力するための第２の画像を投射部１３にて投射させ、その後、入力部１１からの上記指示を受け付ける度に、投射部１３にて投射される画像を上記第１および第２の画像の間で切り替える。【００７７】
上記第１の画像は、入力部１１の各指定ボタンのそれぞれに対応する複数のブロックからなり、該ブロック毎に、異なる複数の記号が配置された第１のキーボードを備える。上記第２の画像は、上記複数のブロックに含まれる各記号と同じ記号が上記第１のキーボードと同じ配置形態で配置され、それぞれのブロックに含まれる各記号と入力部１１の各指定ボタンとが一対一で対応する第２のキーボードを備える。【００７８】
制御部１０は、第１の画像が投射された状態で入力部１１の各指定ボタンのいずれかが押下されると、該押下された指定ボタンに対応するブロックを上記第１のキーボードの各ブロックのうちから特定する。その後、第２の画像が投射された状態で入力部１１の各指定ボタンのいずれかが押下されると、該押下された指定ボタンに対応する記号を、第２のキーボードの、上記特定したブロックの各記号のうちから特定する。【００７９】
入力部１１の決定ボタンが押下されると、制御部１０は、入力部１１からの上記指示を受け付けた順番で、上記特定した記号を文字列として認識し、該文字列が記憶部１４に格納されたパスワードと一致する場合にのみ操作を受け付ける。【００８０】
本他の実施形態において、第１のキーボードは、入力部１１の各指定ボタンのそれぞれに対応する複数の第１のボタン記号を有し、これら第１のボタン記号が、上記複数のブロックと一対一で対応するように配置されてもよい。【００８１】
上記の場合、上記複数の第１のボタン記号は、入力部１１の各指定ボタンと同じ配置形態で配置されてもよい。【００８２】
さらに、上記複数のブロックのそれぞれに配置された記号の数が、入力部１１の指定ボタンの数と同じであってもよい。【００８３】
また、本他の実施形態において、第２のキーボードは、各ブロックのそれぞれと対応する領域毎に、入力部１１の各指定ボタンのそれぞれに対応する複数の第２のボタン記号を有し、これら第２のボタン記号が、各ブロックのそれぞれに配置された各記号と一対一で対応するように配置されてもよい。【００８４】
上記の場合、各ブロックのそれぞれと対応する領域毎に設けられた上記複数の第２のボタン記号は、入力部１１の各指定ボタンと同じ配置形態で配置されてもよい。【００８５】
以上説明した本他の実施形態のプロジェクタによれば、ユーザは、入力部１１の指定ボタンを用いて択一的にブロックや記号の選択を行うことができるので、前述した特許文献１に記載された、ソフトウェアキーボード上で行および列を指定することで文字を指定するプロジェクタに比較して、より簡単かつ正確に文字の入力を行うことができる。【００８６】
また、文字の入力過程が表示されることもないので、入力された文字列が第三者に知られることを抑制することができる。【００８７】
以上説明した各実施形態のプロジェクタは本発明の一例であり、その構成および動作については、発明の趣旨を逸脱しない範囲で、当業者が考え得る変更を適用することができる。
【図１】
2011125200.tif 000003
【図２】
2011125200.tif 000004
【図３】
2011125200.tif 000005
【図４】
2011125200.tif 000006
【図５】
2011125200.tif 000007
【図６】
2011125200.tif 000008
【図７】
2011125200.tif 000009
【図８】
2011125200.tif 000010
【国際調査報告】
2011125200.tif 000011
2011125200.tif 000012
2011125200.tif 000013
2011125200.tif 000014